(57)【要約】【課題】屋根の上下での通気を許容しつつ、一室で生じた炎や火の粉の隣室への噴出または飛散を抑制することが可能な建造物を提供する。【解決手段】建造物１は、棟３に沿って形成された通気口５を有する屋根部材１１と、屋根部材１１から下に延びるとともに、通気口５と交差する方向に沿って形成された壁部材４と、屋根部材１１との間に上下方向の隙間が形成された状態で、壁部材４に上から重なる領域において通気口５を上から覆う通気口被覆部３６と、壁部材４と通気口被覆部３６との間の壁部材４に上から重なる領域において、壁部材４の上面から通気口５を通じて通気口被覆部３６の下面までの範囲に設けられた少なくとも１つの障壁６と、を備える。【選択図】図４
2020041373.tif 000002
【特許請求の範囲】
【請求項１】
建造物であって、
棟に沿って形成された通気口を有する屋根部材と、
前記屋根部材から下に延びるとともに、前記通気口と交差する方向に沿って形成された壁部材と、
前記屋根部材との間に上下方向の隙間が形成された状態で、前記壁部材に上から重なる領域において前記通気口を上から覆う通気口被覆部と、
前記壁部材と前記通気口被覆部との間の前記壁部材に上から重なる領域において、前記壁部材の上面から前記通気口を通じて前記通気口被覆部の下面までの範囲に設けられた少なくとも１つの障壁と、を備える、建造物。
【請求項２】
請求項１に記載の建造物は、２枚の前記障壁を有し、
前記壁部材は、前記棟に沿う方向に間隔を空けて互いに対向する２枚の壁板を有し、
前記各壁板の上から重なる領域に、前記各障壁が設けられている、建造物。
【請求項３】
前記障壁は、
前記屋根部材の上面から前記通気口被覆部の下面まで延びる上側障壁部と、
前記上側障壁部から前記通気口を通じて前記壁部材まで延びる下側障壁部と、を有する請求項１または２に記載の建造物。
【請求項４】
請求項３に記載の建造物は、
前記上側障壁部を構成するための下側部材および上側部材と、
前記屋根部材における前記通気口の縁部に設けられる瓦と、を備え、
前記下側部材は、前記屋根部材に取り付けられているとともに、前記屋根部材の上面から上に延びる第１の障壁部を有し、
前記上側部材は、前記通気口被覆部と、前記通気口被覆部から側方に延びて前記瓦の一部を上から覆う瓦被覆部と、前記瓦と前記瓦被覆部との間に設けられ、前記瓦の上面と前記瓦被覆部との間の水の流通を規制する規制部と、前記通気口被覆部から前記第１の障壁部と水平方向に重なる位置まで延びる第２の障壁部と、を有する、建造物。
【請求項５】
請求項４に記載の建造物は、
前記棟が延びる方向において前記上側部材および前記下側部材の両側で、前記屋根部材における前記通気口の縁部に取り付けられた固定部と、前記固定部から前記瓦の上まで延びて前記屋根部材との間で前記瓦を挟持する挟持部と、を有する挟持部材と、
前記棟に沿って延びるとともに、前記挟持部を上方および前記棟の側方から覆う被覆部材と、を有し、
前記上側部材および前記下側部材は、前記被覆部材によって上方および前記棟の側方から覆われている、建造物。
【請求項６】
前記下側部材は、
前記屋根部材における前記通気口の縁部に取り付けられる取付け部と、
前記取付け部から立ち上がり、前記縁部に沿って延びるとともに前記第１の障壁部に接続される立ち上がり部と、を有する、請求項４または５に記載の建造物。
【発明の詳細な説明】
【技術分野】
【０００１】
本発明は、建造物に関する。
【背景技術】
【０００２】
例えば特許文献１に開示されているように、棟に沿って通気口が形成された切妻屋根と、当該通気口の上部に設けられたカバーと、棟に沿って隣接する２つの部屋を区画する界壁と、を有する建造物が従来から知られている。
【０００３】
前記通気口は、屋根の上下での通気を許容し、前記カバーは、当該通気口からの雨水等の浸入を抑制する。また、界壁は、床から屋根の下面まで延びている。
【０００４】
特許文献１に記載の建造物の一室で火災が生じた場合、炎や火の粉が、屋根の下面に達し、通気口およびカバーを経て屋外に噴出または飛散するおそれがある。
【０００５】
ここで、特許文献２には、屋根の棟に沿って形成された通気口（開口部）を有する建造物において、建造物内部で火災が発生した場合に火の粉を含む空気が外に排出されないようにするため、通気口に防火ダンパーを配置することが開示されている。当該防火ダンパーは、熱膨張部材を備え、熱を感知すると熱膨張部材が膨張して屋根の上で通気口を覆う。
【０００６】
特許文献１に記載の建造物の通気口に、特許文献２に記載の防火ダンパーを配置すれば、建造物の一室で生じた炎や火の粉が、通気口およびカバーを経て屋外に噴出または飛散する可能性は低減される。
【先行技術文献】
【特許文献】
【０００７】
【特許文献１】特開２００３−２１３８３２号公報
【特許文献２】特開２００３−３２８４７０号公報
【発明の概要】
【発明が解決しようとする課題】
【０００８】
特許文献２に記載の防火ダンパーは、屋根の棟の上方に配置される。そのため、特許文献２に記載の建造物において、界壁上に防火ダンパーを配置したとしても、一室で生じた炎や火の粉が防火ダンパーと界壁との間を通じて隣室に噴出または飛散し、建造物内で延焼するおそれがある。
【０００９】
本発明は、このような問題に鑑みてなされたものであり、屋根の上下での通気を許容しつつ、一室で生じた炎や火の粉の隣室への噴出または飛散を抑制することが可能な建造物を提供することを目的とする。
【課題を解決するための手段】
【００１０】
本発明者らは、種々検討した結果、上記目的は、以下の発明により達成されることを見出した。
【００１１】
本発明の一局面に係る建造物は、棟に沿って形成された通気口を有する屋根部材と、前記屋根部材から下に延びるとともに、前記通気口と交差する方向に沿って形成された壁部材と、前記屋根部材との間に上下方向の隙間が形成された状態で、前記壁部材に上から重なる領域において前記通気口を上から覆う通気口被覆部と、前記壁部材と前記通気口被覆部との間の前記壁部材に上から重なる領域において、前記壁部材の上面から前記通気口を通じて前記通気口被覆部の下面までの範囲に設けられた少なくとも１つの障壁と、を備える。
【００１２】
上記の建造物は、通気口被覆部および壁部材に加えて、壁部材の上面から通気口被覆部の下面までの範囲に設けられた障壁を備える。そのため、壁部材によって区画された隣接する２つの部屋では、通気口被覆部および屋根部材の下面まで、通気口を通じた換気が独立して保たれる。また、一方の部屋で生じた火災に起因する炎や火の粉は、障壁によって他の部屋への噴出または飛散が抑制される。
【００１３】
したがって、屋根の上下での通気を許容しつつ、一室で生じた炎や火の粉の隣室への噴出または飛散を抑制することができる。
【００１４】
上記の建造物は、２枚の前記障壁を有し、前記壁部材は、前記棟に沿う方向に間隔を空けて互いに対向する２枚の壁板を有し、前記各壁板の上から重なる領域に、前記各障壁が設けられていてもよい。
【００１５】
この態様では、２枚の壁板とその間の空間を含む、壁部材全体と同じ厚さを有する障壁を用いる場合に比べて、障壁を軽量かつ簡単な構成とすることができる。
【００１６】
上記の建造物において、障壁は、前記屋根部材の上面から前記通気口被覆部の下面まで延びる上側障壁部と、前記上側障壁部から前記通気口を通じて前記壁部材まで延びる下側障壁部と、を有していてもよい。
【００１７】
この態様では、建造物に通気口を有する屋根部材を設けた後、通気口を通じて壁部材まで延びる下側障壁部を設け、屋根部材の上側に上側障壁部を設けることにより、障壁を設けることができる。そのため、障壁を比較的容易に設けることができる。
【００１８】
上記の建造物は、前記上側障壁部を構成するための下側部材および上側部材と、前記屋根部材における前記通気口の縁部に設けられる瓦と、を備え、前記下側部材は、前記屋根部材に取り付けられているとともに、前記屋根部材の上面から上に延びる第１の障壁部を有し、前記上側部材は、前記通気口被覆部と、前記通気口被覆部から側方に延びて前記瓦の一部を上から覆う瓦被覆部と、前記瓦と前記瓦被覆部との間に設けられ、前記瓦の上面と前記瓦被覆部との間の水の流通を規制する規制部と、前記通気口被覆部から前記第１の障壁部と水平方向に重なる位置まで延びる第２の障壁部と、を有していてもよい。
【００１９】
ここで、一般に、屋根部材に対する瓦の位置は、建造物ごとに変動することが多い。また、上側障壁部の寸法は、屋根部材に対する瓦の位置によって変動する。そのため、上側障壁部を一体とする場合には、作業現場において、屋根部材および瓦の位置が確定した後、これらの位置に応じた寸法の上側障壁部を作製する必要がある。しかし、この態様では、第１の障壁部と第２の障壁部とが重なる部分を有し、この重なる部分の大きさは、建造物において設けられた屋根部材に対する瓦の位置に応じて変動する。そのため、作業現場において屋根部材および瓦の位置に応じた寸法の第１の障壁部および第２の障壁部を作製する必要がない。
【００２０】
さらに、この態様では、上側部材に設けられた規制部によって、雨水等の水が通気口に向かって瓦の上面を伝わるのを抑制することができる。
【００２１】
上記の建造物は、前記棟が延びる方向において前記上側部材および前記下側部材の両側で、前記屋根部材における前記通気口の縁部に取り付けられた固定部と、前記固定部から前記瓦の上まで延びて前記屋根部材との間で前記瓦を挟持する挟持部と、を有する挟持部材と、前記棟に沿って延びるとともに、前記挟持部材を上方および前記棟の側方から覆う被覆部材と、を有し、前記上側部材および前記下側部材は、前記被覆部材によって上方および前記棟の側方から覆われていてもよい。
【００２２】
この態様では、通気口の壁部材の上方の部分および壁部材の上方以外の部分の双方を共通の被覆部材によって覆うことができる。
【００２３】
上記の建造物において、前記下側部材は、前記屋根部材における前記通気口の縁部に取り付けられる取付け部と、前記取付け部から立ち上がり、前記縁部に沿って延びるとともに前記第１の障壁部に接続される立ち上がり部と、を有してもよい。
【００２４】
この態様では、屋根部材と瓦との間に水が浸入しても、この水が通気口に浸入するのを立ち上がり部によって抑制することができる。
【発明の効果】
【００２５】
本発明によれば、比較的単純な構成の障壁によって、隣接する各部屋における通気口を通じた換気を保ちつつ、一方の部屋から隣の部屋への炎や火の粉の移動を抑制することが可能な建造物を提供することができる。
【図面の簡単な説明】
【００２６】
【図１】図１は、本発明の一実施形態に係る建造物の概略平面図である。
【図２】図２は、本発明の一実施形態に係る建造物の棟部分の構造を示す斜視図である。
【図３】図３は、本発明の一実施形態に係る建造物の図１のＩＩＩ−ＩＩＩ線での断面図である。
【図４】図４は、図３の断面図において棟包み取付金具を省略した図である。
【図５】図５は、本発明の一実施形態に係る建造物の界壁の棟周辺部の棟包みを省略した平面図である。
【図６】図６は、本発明の一実施形態に係る建造物の界壁の棟周辺部の正面図である。
【図７】図７は、本発明の一実施形態に係る下側部材の斜視図である。
【図８】図８は、本発明の一実施形態に係る上側部材の斜視図である。
【発明を実施するための形態】
【００２７】
以下、本発明の一実施形態に係る建造物について図面に基づいて説明する。
【００２８】
図１は、本実施形態に係る建造物の概略平面図である。図２は、本実施形態に係る建造物の棟部分の構造を示す斜視図である。図３は、本実施形態に係る建造物の図１のＩＩＩ−ＩＩＩ線での断面図である。図４は、図３の断面図において棟包み取付金具を省略した図である。図５は、本実施形態に係る建造物の界壁の棟周辺部の棟包みを省略した平面図である。図６は、本実施形態に係る建造物の界壁の棟周辺部の正面図である。
【００２９】
以下の説明では、図１の右方向を＋Ｘ方向、左方向を−Ｘ方向、上方向を＋Ｙ方向、下方向を−Ｙ方向とし、図１の紙面と直交する方向で、紙面手前方向を＋Ｚ方向（鉛直上向き方向）、紙面奥行き方向を−Ｚ方向（鉛直下向き方向）として説明する。また、＋Ｘ方向および−Ｘ方向を総称してＸ方向、＋Ｙ方向および−Ｙ方向を総称してＹ方向、＋Ｚ方向および−Ｚ方向を総称してＺ方向という。Ｘ方向とＹ方向とＺ方向とはそれぞれ直交する。
【００３０】
建造物１は、Ｘ方向に延びる棟３に沿って通気口５が形成された寄棟の屋根２と、棟３に沿って隣接する２つの部屋を区画する界壁（壁部材）４と、通気口５を上（＋Ｚ方向）から覆う通気口被覆ユニット７と、を備える。
【００３１】
図２に示すように、屋根２は、棟３に沿って形成された通気口５が形成されるようにＹ方向に離間し、通気口５からＹ方向の両側に向かって下向きに傾斜する２枚の野地板１１と、それぞれの野地板１１における通気口５の縁に沿って互いに対向するように設けられた添え板１２と、野地板１１の上面および添え板１２の通気口５の反対側の面を覆い、野地板１１を防水するアスファルトルーフィング１４と、を有する。
【００３２】
添え板１２は、野地板１１の上縁に取り付けられる取付け部１２ａと、取付け部１２ａから立ち上がる立ち上がり部１２ｂと、を有する。添え板１２は、立ち上がり部１２ｂによってアスファルトルーフィング１４を通気口５の縁で立ち上がらせ、通気口５への雨水の浸入を抑制する。添え板１２には、例えばアルミニウム板等の金属板を用いることができる。
【００３３】
また、屋根２は、アスファルトルーフィング１４上で瓦桟１５に引掛けられるように設けられた瓦１６と、野地板１１との間で瓦１６を挟持する挟持部材１３と、を有する。
【００３４】
挟持部材１３は、通気口５に沿って間欠的に設けられた複数組の固定部１３ａ、遊動部（挟持部）１３ｂおよびボルト１３ｃと、通気口５の両側に沿って延びる一対の下地板１３ｄおよび水密材１３ｅと、を有する。
【００３５】
固定部１３ａは、両方の野地板１１における通気口５の縁部に固定された一対の固定片と、各固定片の通気口５側の端部から立ち上がる一対の立ち上がり部と、各立ち上がり部の上部同士を連結し水平方向（Ｙ方向）に延びる連結部と、を有する。遊動部１３ｂは、固定部１３ａの連結部の上方からＹ方向の両側（通気口５から離れる方向）に向かって瓦１６の上方まで延びる。ボルト１３ｃは、固定部１３ａの連結部に設けられた雌ねじと螺合し、遊動部１３ｂが固定部１３ａに対してＺ方向に移動可能な状態で、固定部１３ａと遊動部１３ｂとを連結する。固定部１３ａと添え板１２とが重なる部分では、添え板１２が固定部１３ａの上に設けられる。
【００３６】
下地板１３ｄは、添え板１２の立ち上がり部１２ｂと接した状態で通気口５のＹ方向両側でＸ方向に沿って互いに平行に延びている。下地板１３ｄの上面は、通気口５から離れるに従って下向きに延びる傾斜を有する。また、下地板１３ｄは、遊動部１３ｂが嵌まり込む窪みを上面に有する。
【００３７】
水密材１３ｅは、下地材１３ｄの下面に設けられている。
【００３８】
挟持部材１３のボルト１３ｃを締め付けることにより、下地板１３ｄおよび水密材１３ｅは、野地板１１との間で瓦１６を挟持する。なお、瓦１６は、ビス１５ａによっても、瓦桟１５とともに野地板１１に固定されている。固定部１３ａ、遊動部１３ｂおよびボルト１３ｃには、例えば金属を用いることができ、下地板１３ｄには、例えば木材を用いることができる。
【００３９】
さらに、屋根２は、通気口５のＹ方向両側で下地板１３ｄを覆う棟捨て水切り２１と、両方の棟捨て水切り２１の上面にまたがり、Ｘ方向に間欠的に設けられた棟包み取付金具２２と、棟捨て水切り２１および棟包み取付金具２２を上方および側方から覆うようにＸ方向に延びる棟包み（被覆部材）２４と、を備える。
【００４０】
棟捨て水切り２１は、通気口５のＹ方向の両側でＸ方向に沿って互いに平行に延びている。各棟捨て水切り２１は、下地板１３ｄの上面および側面を覆った状態で下地板１３ｄ上に支持される上段部２１ａと、上段部２１ａから瓦１６の上面に向かってＹ方向外側に延びる下段部２１ｂと、下段部２１ｂの下面に設けられた規制部２１ｃと、を有する。上段部２１ａは、下地板１３ｄの上面に沿って傾斜する。規制部２１ｃは、下段部２１ｂによって瓦１６の上面に押し付けられている。これにより、規制部２１ｃは、瓦１６の上面と下段部２１ｂとの間の水の流通を規制し、例えば瓦１６の上面の雨水が風によって下段部２１ｂの下側を通って通気口５側へ流通するのを抑制する。棟捨て水切り２１の上段部２１ａおよび下段部２１ｂには、例えばアルミニウム板等の金属板を用いることができ、規制部２１ｃには、例えばエチレンプロピレンゴムを用いることができる。
【００４１】
棟包み取付金具２２は、一方の棟捨て水切り２１の上面に沿って延びる部分と、他方の棟捨て水切り２１の上面に沿って延びる部分と、を有する。また、棟包み取付金具２２は、ビス２２ａによって棟捨て水切り２１とともに下地板１３ｄに固定されている。棟包み取付金具２２の上面には、図２に示すように、弾性および遮水性を有する材料からなるシーリング２３が設けられている。
【００４２】
棟包み２４は、棟捨て水切り２１の上段部２１ａに沿って設けられた天板２４ａと、天板２４ａの両側の下端から下向きに延びる側板２４ｂと、を有する。
【００４３】
棟包み２４は、棟包み取付金具２２の上面に設けられた支持部２２ｂによって棟捨て水切り２１とＺ方向に隙間を空けた状態で支持されている。また、棟包み２４は、側板２４ｂの内面の下端部に設けられた被係止部２４ｄによって棟包み取付金具２２の下端に設けられた係止部２２ｃに係止される。
【００４４】
複数の棟包み２４を通気口５の上部にＸ方向に並べて設ける場合、隣接する棟包み２４のＸ方向の端部を、棟包み取付金具２２の上部において互いに接するようにまたは一部が重なるように設けるとともに、棟包み２４の下面をシーリング２３に接触させ、棟包み２４の端部から通気口５方向への雨水の浸入を抑制する。
【００４５】
界壁４は、図３および図４に示すように、野地板１１の下面から下（−Ｚ方向）に向かって建造物１の床面（不図示）まで延びるとともに、通気口５と交差する方向（Ｙ方向）に沿って形成されている。野地板１１の下面を支持する母屋１１ａは、界壁４を貫通した状態で棟５に沿った方向（Ｘ方向）に延びている。
【００４６】
また、界壁４は、図５および図６に示すように、Ｘ方向に並んで所定の間隔を空けて設けられた２枚の壁板４ａ，４ｂを有する。壁板４ａ，４ｂには、例えば石こうボード等を用いることができる。
【００４７】
ここで、添え板１２、下地板１３ｄ、水密材１３ｅおよび棟捨て水切り２１は、通気口５に沿ってＸ方向に間欠的に複数設けられている。Ｘ方向に隣り合う添え板１２、下地板１３ｄおよび棟捨て水切り２１の間隔は、界壁４の厚みに対応しており、当該間隔の設けられる位置は、界壁４の少なくとも一部に上から重なる位置である。Ｘ方向に隣り合う添え板１２、下地板１３ｄ、水密材１３ｅおよび棟捨て水切り２１の間には、通気口被覆ユニット７が設けられている。言い換えると、通気口被覆ユニット７のＸ方向の両側には添え板１２、下地板１３ｄおよび棟捨て水切り２１が設けられている。通気口被覆ユニット７は、下側部材３１と、上側部材３５と、を備える。
【００４８】
図７は、下側部材の斜視図である。下側部材３１は、図３〜図７に示すように、通気口５の両側の野地板１１にまたがって両野地板１１上に設けられた基部３２と、基部３２のＸ方向両側の端部から＋Ｚ方向に延びる突出部３１ａと、を有する。基部３２は、通気口５に対してＹ方向側の野地板１１に沿って設けられた部分と、−Ｙ方向側の野地板１１に沿って設けられた部分と、を有し、これらの両部分は通気口５に沿って稜線を形成するように連結されている。
【００４９】
下側部材３１は、Ｘ方向の中心を通りＸ方向に垂直な面を対称面として面対称な形状を有する。突出部３１ａも、＋Ｘ方向側と−Ｘ方向側とで上記対称面に対して面対称な形状であるため、＋Ｘ方向側の突出部３１ａについてのみ説明する。
【００５０】
＋Ｘ方向側の突出部３１ａは、基部３２上に立設されているとともに稜線の両側にわたってＹ方向に延びる第１の障壁部３４と、第１の障壁部３４のＹ方向の両端から基部３２の＋Ｘ方向の端面まで延びる立ち上がり部３３と、を有する。立ち上がり部３３は、基部３２の稜線を通りＹ方向に垂直な面を対称面として対称に設けられている。これらの立ち上がり部３３の互いに対向する面同士の間隔は、通気口５を挟んで対向する添え板１２の立ち上がり部１２ｂの互いに逆を向く面同士の間隔と同じかそれよりも大きい。
【００５１】
下側部材３１を＋Ｚ方向から見て、基部３２の突出部３１ａに囲まれた部分には切り欠きが設けられている。基部３２は、第１の障壁部３４に挟まれた部分３２ａによって、通気口５の界壁４に重なる部分を上から覆う。下側部材３１には、例えばガルバリウム鋼板（登録商標）等の金属板を用いることができる。
【００５２】
ここで、Ｘ方向に隣り合う添え板１２のＸ方向の間隔をａとする。また、下側部材３１の２枚の第１の障壁部３４の互いに逆を向く面同士の間隔をｂ、＋Ｘ方向および−Ｘ方向の立ち上がり部３３のＸ方向の長さをそれぞれｃとする。図６には、間隔ａ、間隔ｂおよび長さｃを示している。本実施形態では、間隔ａ、間隔ｂおよび長さｃは、下記（１）式を満たす。
ｂ≦ａ＜ｂ＋２ｃ  …（１）
【００５３】
これにより、下側部材３１を添え板１２に外側から嵌合させる際には、下側部材３１のＸ方向両側の突出部３１ａは、添え板１２の立ち上がり部１２ｂによって誘い込まれ、下側部材３１を野地板１１の上面の所定の位置に容易に設けることができる。間隔ａ、間隔ｂおよび長さｃは、下記（２）式を満たすことが好ましい。この場合、下側部材３１のＸ方向の位置にかかわらず添え板１２から突出部３１ａが外れることがなく、安定して嵌合させることができる。
ｂ≦ａ＜ｂ＋ｃ  …（２）
【００５４】
図３および図４に示すように、下側部材３１が野地板１１の上面に設けられた状態では、アスファルトルーフィング１４は、基部３２に沿って基部３２の上面に設けられた部分と、立ち上がり部３３の通気口５と反対側の面に沿って＋Ｚ方向に延びる部分と、を有する。基部３２の上面のアスファルトルーフィング１４の上には、瓦桟１５および瓦１６が設けられている。なお、添え板１２の立ち上がり部１２ｂと下側部材３１の立ち上がり部３３との間には、アスファルトルーフィング１４は設けられていない。
【００５５】
図８は、上側部材の斜視図である。上側部材３５は、図３〜図６および図８に示すように、通気口５を上から覆う通気口被覆部３６と、通気口被覆部３６から側方（Ｙ方向）に延びて瓦１６の一部を上から覆う瓦被覆部３７と、瓦１６と瓦被覆部３７との間に設けられた規制部３９と、通気口被覆部３６から−Ｚ方向に延びる２枚の第２の障壁部３８と、を有する。
【００５６】
２枚の第２の障壁部３８は、それぞれ界壁４の壁板４ａ，４ｂに上から重なる領域に設けられている。第２の障壁部３８は、いずれも通気口被覆部３６から第１の障壁部３４と水平方向（Ｘ方向）に重なる位置まで−Ｚ方向に延びる。また、第２の障壁部３８は、それぞれ、２枚の第１の障壁部３４で挟まれた内側の領域に設けられている。第２の障壁部３８は、第１の障壁部３４に接していてもよい。
【００５７】
通気口被覆部３６は、野地板１１との間に上下方向（Ｚ方向）の隙間が形成された状態で、界壁４に上から重なる領域および界壁４のＸ方向の両側の領域において通気口５を上（＋Ｚ方向）から覆っている。
【００５８】
通気口被覆部３６は、界壁４に上から重なる領域では、基部３２の第１の障壁部３４に挟まれた部分３２ａ、および突出部３１ａに囲まれた部分の上から通気口５を覆っている。また、界壁４のＸ方向の両側の領域では、突出部３１ａに囲まれた部分の上から通気口５を覆っている。
【００５９】
通気口被覆部３６は、Ｘ方向両側の端部と当該各端部に近い方の第２の障壁部３８との間の部分で、通気口５の両側の下地板１３ｄの上面およびＹ方向外側の側面に接している。これにより、通気口被覆部３６は、下地板１３ｄの途切れた部分の端部およびその近傍を包むように覆うとともに、下地板１３ｄを覆った部分において下地板１３ｄに支持される。
【００６０】
瓦被覆部３７は、通気口被覆部３６から瓦１６の上面に向かってＹ方向外側に延びる。規制部３９は、瓦被覆部３７の下面に取り付けられ、瓦被覆部３７によって瓦１６の上面に押し付けられている。これにより、規制部３９は、瓦１６の上面と瓦被覆部３７との間の水の流通を規制し、例えば瓦１６の上面の雨水が風によって瓦被覆部３７の下側を通って通気口５側へ流通するのを抑制する。規制部３９は、例えばエチレンプロピレンゴムを用いることができる。また、上側部材３５の規制部３９以外の部分には、例えばガルバリウム鋼板（登録商標）等の金属板を用いることができる。
【００６１】
通気口被覆部３６および瓦被覆部３７のＸ方向に垂直な面による断面の大きさは、棟捨て水切り２１のＸ方向に垂直な面による断面の形状と同じかそれよりも小さい。そのため、本実施形態に係る建造物１では、棟包み２４は、棟捨て水切り２１および挟持部材１３を＋Ｚ方向およびＹ方向の両側から覆っているのと同様に、上側部材３５および下側部材３１を＋Ｚ方向およびＹ方向の両側から覆っている。
【００６２】
建造物１は、界壁４の上面から通気口５を通じて通気口被覆部３６の下面までの範囲に設けられた障壁６を備える。障壁６は、野地板１１の上面から通気口被覆部３６の下面まで延びる上側障壁部と、上側障壁部から通気口５を通じて界壁４まで延びる下側障壁部８と、を有する。通気口被覆ユニット７は、上側障壁部を構成するためのものであり、上側障壁部は、第１の障壁部３４および第２の障壁部３８によって構成される。
【００６３】
下側障壁部８は、界壁４の上面から通気口５を通じて第１の障壁部３４の下面までの範囲に設けられている。下側障壁部８は、第１の障壁部３４および基部３２と、壁板４ａ，４ｂのそれぞれとの間の、壁板４ａ，４ｂに上から重なる領域において、壁板４ａ，４ｂの上端と、野地板１１の上端と、第１の障壁部３４および基部３２の下端と、で囲まれた隙間に埋設されている。下側障壁部８は、例えばロックウール等の不燃材からなるものとすることができる。
【００６４】
次に、本実施形態の建造物１において、界壁４によって区画された一室で火災が発生した場合に炎や火の粉（以下「炎等」という。）が隣室へ噴出、飛散するのが抑制される仕組みについて説明する。
【００６５】
図３〜図６を参照して、界壁４によって区画された一室で火災が発生した場合を考える。本実施形態の建造物１において、下側部材３１、上側部材３５および下側障壁部８の１つでも欠けた場合には、上昇気流に伴って界壁４に沿って上昇した炎等は、通気口５または野地板１１と棟包み２４との間の空間を通じて、界壁４を挟む隣室に向かって噴出、飛散する。
【００６６】
一方、下側部材３１、上側部材３５および下側障壁部８が揃っている場合には、炎等は、上昇気流に伴って界壁４に沿って上昇した後、通気口５において下側障壁部８に沿って上昇し、さらに第１の障壁部３４および第２の障壁部３８に沿って上昇した後、通気口被覆部３６、下側部材３１の立ち上がり部３３および添え板１２の立ち上がり部１２ｂによって＋Ｘ方向に導かれる。そのため、炎等の界壁４を挟む隣室への移動が抑制される。このとき、界壁４の両側の部屋では、通気口５を通じた換気が独立して保たれる。
【００６７】
さらに、本実施形態の建造物１において、屋根２に降り注いだ雨水が通気口５に流れ込むのが抑制される仕組みについて説明する。
【００６８】
例えば、風を伴って雨水が瓦１６の上面を伝って通気口５に向かって流れた場合には、規制部２１ｃおよび規制部３９によって、雨水が棟捨て水切り２１または瓦被覆部３７と瓦１６との間に浸入するのが抑制される。雨水が棟捨て水切り２１または瓦被覆部３７と瓦１６との間に浸入したとしても、下地板１３ｄおよび水密材１３ｅによって、雨水が通気口５に到達するのが抑制される。棟捨て水切り２１の下段部２１ｂまたは上側部材３５の瓦被覆部３７に乗り上げた雨水は、上段部２１ａまたは通気口被覆部３６によって通気口５から離れる方向に導かれる。
【００６９】
瓦１６の隙間から野地板１１方向に落下した雨水は、アスファルトルーフィング１４によって野地板１１に浸透するのが抑制される。アスファルトルーフィング１４上に落下した雨水が風によって通気口５方向に流れた場合、瓦桟１５、添え板１２の立ち上がり部１２ｂおよび基部３２によって、通気口５への雨水の浸入が抑制される。
【００７０】
本実施形態の建造物１では、界壁４が有する壁板４ａ，４ｂのそれぞれに障壁６を設けている。そのため、壁板４ａ，４ｂ同士の間の空間を含めた界壁４全体の厚さにわたる厚さを有する障壁６を設ける場合に比べて、軽量かつ簡単な構成で障壁６を設けることができる。
【００７１】
また、本実施形態の建造物１では、障壁６は、下側障壁部８と、上側障壁部を構成する第１の障壁部３４および第２の障壁部３８と、を有する。そのため、通気口５を有する野地板１１を設けた後、下側障壁部８を設け、その後第１の障壁部３４および第２の障壁部３８を有する通気口被覆ユニット７を設けることにより、障壁６を設けることができる。そのため、下側障壁部８と上側障壁部とが一体である場合に比べて容易に障壁６を設けることができる。
【００７２】
本実施形態の建造物１では、さらに、通気口被覆ユニット７は、下側部材３１と上側部材３５とによって構成されている。ここで、一般に、野地板１１に対する瓦１６の位置は、建造物１ごとに変動することが多い。そのため、通気口被覆ユニット７を構成する下側部材３１と上側部材３５とが一体に設けられている場合、作業現場において野地板１１および瓦１６の位置が確定した後、これらの位置に応じた寸法の通気口被覆ユニット７を作製する必要がある。しかし、本実施形態の建造物１では、下側部材３１の第１の障壁部３４と上側部材３５の第２の障壁部３８とがＸ方向に重なる部分を有し、この重なる部分の大きさは、建造物１において設けられた野地板１１に対する瓦１６の位置に応じて変動する。そのため、本実施形態の建造物１では、作業現場において設けられた野地板１１に対する瓦１６の位置に応じた寸法に、第１の障壁部３４および第２の障壁部３８の大きさを調整する必要がなく、あらかじめ用意した下側部材３１および上側部材３５をそのまま使用することができる。
【００７３】
（本実施形態の変形例）
界壁４は、１枚の石こうボードからなるものであってもよい。この場合、障壁６も１箇所に設ければよい。
【００７４】
上側部材３５および下側部材３１は、一体に形成されていてもよい。また、上側部材３５および下側部材３１に加えて下側障壁部８も、一体に形成されていてもよい。
【符号の説明】
【００７５】
１  建造物
３  棟
４  界壁（壁部材）
４ａ，４ｂ  壁板
５  通気口
６  障壁
８  下側障壁部
１１  野地板（屋根部材）
１３  挟持部材
１３ａ  固定部
１３ｂ  遊動部（挟持部）
１３ｄ  下地板（挟持部）
１３ｅ  水密材（挟持部）
１６  瓦
２４  棟包み（被覆部材）
３１  下側部材（上側障壁部）
３１ａ  突出部
３２  基部
３３  立ち上がり部
３４  第１の障壁部（上側障壁部）
３５  上側部材（上側障壁部）
３６  通気口被覆部
３７  瓦被覆部
３８  第２の障壁部（上側障壁部）
３９  規制部
【図１】
2020041373.tif 000003
【図２】
2020041373.tif 000004
【図３】
2020041373.tif 000005
【図４】
2020041373.tif 000006
【図５】
2020041373.tif 000007
【図６】
2020041373.tif 000008
【図７】
2020041373.tif 000009
【図８】
2020041373.tif 000010